(57)【特許請求の範囲】
【請求項１】
糊付機本体とともに壁紙裁断装置とを備え、糊付機本体では糊付ロールによりクロスに糊付し、壁紙裁断装置においては糊付けに先立って所定巾に裁断する自動糊付機であって、
糊付機本体への壁紙裁断装置の取付対向部では、糊付機本体と壁紙裁断装置の各々の上下部に被係止体部と係止体部のいずれかが設けられ、係止体部の少くとも一つは、変形して係合可能な弾性係止体部であり、これらの被係止体部と係止体部とにより、糊付機本体に壁紙裁断装置がワンタッチ装着脱自在とされ、
被係止体部は、剛性のピン体であり、
弾性係止体部はこのピン体に係合するピン体狭持部を有し、ピン体狭持部は衝撃吸収揺動部を介して固定部に接続されている
ことを特徴とする自動壁紙糊付機。
【請求項２】
上記ピン体狭持部及び上記衝撃吸収揺動部と上記固定部の間に襲撃吸収溝部を有することを特徴とする請求項１記載の自動壁紙糊付機。
【請求項３】
上記固定部は上記ピン体狭持部の上方下方のうち少なくとも下方に具備され、上記ピン体狭持部が上記衝撃吸収揺動部の揺動により上記固定部に接して、上記ピン体狭持部と共に上記固定部も衝撃を吸収するように揺動可能に設けられていることを特徴とする請求項１又は請求項２記載の自動壁紙糊付機。
【発明の詳細な説明】
【技術分野】
【０００１】
本発明は、壁紙自動糊付機に関するものである。さらに詳しくは、壁紙自動糊付機に着脱自在に設けられている壁紙裁断装置であるスリッターの着脱部の改善に関するものである。
【背景技術】
【０００２】
従来より壁紙糊付機は自動壁紙糊付機や手動壁紙糊付機が知られており、それらの糊付機に着脱自在に設けられた壁紙裁断装置であるスリッターもよく知られている。
【０００３】
本出願人も、種々の提案をしており、下記に特許文献１として記載する自動糊付機において、糊付機本体とともに壁紙裁断装置とを備え、糊付機本体では糊付ロールによりクロスに糊付し、壁紙裁断装置においては糊付けに先立って所定巾に裁断する自動糊付機であって、糊付機本体への壁紙裁断装置の取付対向部では、糊付機本体と壁紙裁断装置の各々の上下部に被係止体部と係止体部のいずれかが設けられ、係止体部の少くとも一つは、変形して係合可能な弾性係止体部であり、これらの被係止体部と係止体部とにより、糊付機本体に壁紙裁断装置がワンタッチ装着脱自在とされていることを特徴とする自動糊付機として提案してもいる。
【先行技術文献】
【特許文献】
【０００４】
【特許文献１】特許第３６３２８６７号公報
【発明の開示】
【発明が解決しようとする課題】
【０００５】
壁紙糊付機は、壁紙を施工する現場に持ち込んで糊付けを行い、壁紙に糊がなじむ所定のオープンタイムを経過させた後に、壁面へ貼り付けをされている。
【０００６】
上記したワンタッチ装着脱自在に設けられている壁紙裁断装置は使い勝手が良いとの評価を受けており、壁装職人の事務所から自動車に積込みする際や自動車から現場への移動の際、現場内で糊付機の場所を移動させたりする際に、壁紙裁断装置を壁紙糊付機に装着した状態で移動したり、壁紙糊付機の本体と壁紙裁断装置を分割した状態で移動させたりと壁装職人が任意に選択して使い勝手の良い状態を選んで移動させている。
【０００７】
壁紙糊付機の本体には着脱自在な折りたたみ可能の脚部が設けられ、この脚部には使用状態においては移動のためのキャスターが設けられているので、自動車を駐車した場所から施工現場まで距離がある場合においては、壁紙糊付機の脚部を使用状態にしてキャスターを接地させて移動させていることが通常である。
【０００８】
このキャスターを接地させて壁紙糊付機の取手を引いたり、押したりして移動させているときに、不注意などから歩道などの段差を勢いよく通過させてしまうことがあった。このような場合に、１０ｃｍ以上の段差を落ちることになり、段差を落ちてキャスターが接地したときの衝撃が壁紙裁断装置の弾性狭持フック片（上記特許文献１の図１あるいは図２の符号８１２）に伝わり、弾性狭持フック片の係止が外れてしまったり、さらに衝撃によって弾性狭持フック片が破損して変形してしまったりすることが発生していた。
【０００９】
特許文献１の図１の弾性狭持フック片の形状においては、壁紙糊付機が落下などの衝撃がフック片８１１と弾性狭持フック片８１２の下部にかかり、その反力によって壁紙裁断装置が持ち上げられるようになるが、弾性狭持フック片８１２の下部は垂直方向の幅寸法もあるので強度的にも強いが、落下した衝撃は垂直方向だけとは限らないために、壁紙裁断装置が外れる方向にも力がかかったりする。そうすると弾性フック片の上側のフックに力がかかりながら壁紙裁断装置を外すような方向に力がかかると、弾性フック片の上側のフックを開く方向に力がかかることとなり、フック部分が変形してしまうこととなる。
【００１０】
特許文献１の図２の弾性狭持フック片の形状においては、壁紙糊付機が落下などの衝撃がフック片８１１と弾性狭持フック片８１２の下部にかかり、壁紙裁断装置を外したり持ち上げる方向に力がかかることとなり、特許文献１の図１のように弾性狭持フック片８１２の下側のフックは図１のように強度持たせた寸法とはしていないので、下側のフックが変形し開いてしまうということが発生してしまうという課題を有していた。
【課題を解決するための手段】
【００１１】
上記の課題を解決するために本発明は、糊付機本体とともに壁紙裁断装置とを備え、糊付機本体では糊付ロールによりクロスに糊付し、壁紙裁断装置においては糊付けに先立って所定巾に裁断する自動糊付機であって、糊付機本体への壁紙裁断装置の取付対向部では、糊付機本体と壁紙裁断装置の各々の上下部に被係止体部と係止体部のいずれかが設けられ、係止体部の少くとも一つは、変形して係合可能な弾性係止体部であり、これらの被係止体部と係止体部とにより、糊付機本体に壁紙裁断装置がワンタッチ装着脱自在とされ、被係止体部は、剛性のピン体であり、弾性係止体部はこのピン体に係合するピン体狭持部を有し、ピン体狭持部は衝撃吸収揺動部を介して固定部に接続されていることを特徴とする。
【００１２】
また、上記ピン体狭持部及び上記衝撃吸収揺動部と上記固定部の間に襲撃吸収溝部を有することを特徴とする。
【００１３】
またさらに、上記固定部は上記ピン体狭持部の上方下方のうち少なくとも下方に具備され、上記ピン体狭持部が上記衝撃吸収揺動部の揺動により上記固定部に接して、上記ピン体狭持部と共に上記固定部も衝撃を吸収するように揺動可能に設けられていることを特徴とする。
【発明の効果】
【００１４】
被係止体部と係止体部とにより、糊付機本体に壁紙裁断装置がワンタッチ装着脱自在とされ、被係止体部は、剛性のピン体であり、弾性係止体部はこのピン体に係合するピン体狭持部を有し、ピン体狭持部は衝撃吸収揺動部を介して固定部に接続されているために、衝撃吸収揺動部が揺動して衝撃を吸収し、フックの破損を防ぐことができる。さらに、固定部で衝撃吸収揺動部が揺動を受けて衝撃を吸収したり、固定部が衝撃吸収揺動部と共に弾性変形し、強い衝撃を吸収してフックの破損を防ぐことができる。
【００１５】
ピン体狭持部及び衝撃吸収揺動部と上記固定部の間に襲撃吸収溝部を設け、襲撃吸収溝部の幅寸法で、衝撃吸収揺動部の揺動範囲を決定することができる。
【図面の簡単な説明】
【００１６】
【図１】自動壁紙糊付機に壁紙裁断装置を取り付けた状態を説明する図である。
【図２】本発明の弾性狭持フック片を説明する図である。
【図３】本発明の別の実施形態の弾性狭持フック片を説明する図である。
【図４】本発明の別の実施形態の弾性狭持フック片を説明する図である。
【図５】本発明の別の実施形態の弾性狭持フック片を説明する図である。
【発明を実施するための最良の形態】
【００１７】
本発明の実施形態について図面を用いながら説明する。図１は自動壁紙糊付機１の本体に壁紙裁断装置８を取り付けた状態の側面図である。特許文献１と同様の符号を付して説明する。壁紙裁断装置８のフック片８１１が自動壁紙糊付機１の本体に設けられたステー又はピン体１１１に係止される構成は従来と同様である。
【００１８】
自動壁紙糊付機１の本体に設けられた下部ピン体１１２に係止する弾性狭持フック片８２１を壁紙裁断装置８に設けている。
【００１９】
弾性狭持フック片８２１の実施形態を図２に示す。図２の弾性狭持フック片８２１は、樹脂で製作した構成とし、自動壁紙糊付機１の壁紙裁断装置８への固定をする固定部８２４を設け、固定部８２４をネジ等で壁紙裁断装置８に固定している。固定部８２４の上方に衝撃吸収揺動部８２３を設け、衝撃吸収揺動部８２３の先端に下部ピン体狭持部８２５を設けている。弾性狭持フック片８２１の厚みは５〜１０ｍｍ程度の厚みで、部分によっては厚みを変更するなどしてもかまわない。
【００２０】
衝撃吸収揺動部８２３と固定部８２４の間には、衝撃吸収溝部８２２を設け、下部ピン体１１２を下部ピン体狭持部８２５が狭持した状態で衝撃吸収揺動部８２３が垂直方向に揺動できる構成となっている。固定部８２４に設けた穴部は特に符号を付けて説明はしていないが、図１に示すようにネジ等で固定するための穴部である。
【００２１】
次に弾性狭持フック片８２１の衝撃吸収の動きについての説明する。
自動壁紙糊付機１が段差等で落下して場合の弾性狭持フック片８２１の作用について説明する。図１のように自動壁紙糊付機１に壁紙裁断装置８は取り付けられており、段差等を落下して、地面等に落ちると、壁紙裁断装置８は自動壁紙糊付機１に対して下方に下がるような力がかかる。
【００２２】
その力は、フック片８１１がステー又はピン体１１１を上方から押さえつけるようにかかることと、弾性狭持フック片８２１が下部ピン体１１２を狭持した状態で壁紙裁断装置８が下がろうとする。フック片８１１に押さえつけられてステー又はピン体１１１がたわむとその分だけ、壁紙裁断装置８は衝撃を受けなかった位置から下がることとなる。
【００２３】
その時、下部ピン体１１２を狭持した下部ピン体狭持部８２５が衝撃吸収揺動部８２３の揺動によって上方に持ち上げられるようにたわむこととなる。
【００２４】
そして次には、衝撃の反力として、壁紙裁断装置８を持ち上げる力がかかることとなる。そして、反力で壁紙裁断装置８が持ち上がろうとすると、フック片８１１はステー又はピン体１１１から浮き上がり、弾性狭持フック片８２１の下部ピン体狭持部８２５は下部ピン体１１２を狭持した状態であるから、その位置にとどまることとなり、衝撃収集揺動部８２３が曲がって下方向へ衝撃収集揺動部８２３が揺動させられることとなる。
【００２５】
段差等からの落下の衝撃が小さければ、衝撃収集揺動部８２３が曲がって揺動する範囲で納まる。そのため衝撃収集揺動部８２３の揺動は衝撃吸収溝部８２２の幅間の揺動となる。
【００２６】
衝撃が強くなれば、衝撃吸収揺動部８２３と下部ピン体狭持部８２５が、固定部８２４の上部に当接することとなり、衝撃収集揺動部８２３が揺動範囲が大きくて破損することを防ぐようになる。そして、この衝撃が強い場合においては、下部ピン体狭持部８２５の下方に位置する固定部８２５の先端が、下部ピン体狭持部８２５とともに衝撃を吸収しながら揺動することとなり、壁紙裁断装置８が上方に浮き上がろうとする力を軽減し、かつ弾性狭持フック片８２１自体の破損を防ぐことができる。
【００２７】
このように、衝撃収集揺動部８２３がわずかに揺動する範囲で衝撃を吸収することと、衝撃吸収揺動部８２３と下部ピン体狭持部８２５が固定部８２４に当接する程度に衝撃吸収揺動部８２３が揺動して衝撃を吸収すること、さらに、衝撃吸収揺動部８２３と下部ピン体狭持部８２５が固定部８２４が接した状態で、さらに固定部８２４まで弾性変形して衝撃を吸収することで、衝撃の吸収と弾性狭持フック片８２１の破損を防止するのである。
【００２８】
８２６は衝撃を受けたときの力の応力集中により衝撃吸収揺動部８２３に割れやヒビが発生しないようにするために設けた逃がし穴部である。
【００２９】
次に別の実施形態を図３に示して説明する。図３の弾性狭持フック片８３１も樹脂製であり、図２の弾性狭持フック片８２１の変形例である。
【００３０】
図３の弾性狭持フック片８３１は、樹脂で製作した構成とし、自動壁紙糊付機１の壁紙裁断装置８への固定をする固定部８３４を設け、固定部８３４をネジ等で壁紙裁断装置８に固定する。固定部８３４の上方に衝撃吸収揺動部８３３を設け、衝撃吸収揺動部８３３の先端に下部ピン体狭持部８３５を設けている。弾性狭持フック片８３１の厚みは５〜１０ｍｍ程度の厚みで、部分によっては厚みを変更するなどしてもかまわない。
【００３１】
衝撃吸収揺動部８３３の下方には衝撃吸収溝部８３２を、上方には衝撃吸収溝部８３７設け、下部ピン体１１２を下部ピン体狭持部８３５が狭持した状態で衝撃吸収揺動部８３３が垂直方向に揺動できる構成となっている。固定部８３４に設けた穴部は特に符号を付けて説明はしていないが、図１に示すようにネジ等で固定するための穴部である。
【００３２】
次に弾性狭持フック片８３１の衝撃吸収の動きについての説明する。
自動壁紙糊付機１が段差等で落下して場合の弾性狭持フック片８３１の作用について説明する。図１のように自動壁紙糊付機１に壁紙裁断装置８は取り付けられており、段差等を落下して、地面等に落ちると、壁紙裁断装置８は自動壁紙糊付機１に対して下方に下がるような力がかかる。
【００３３】
その力は、フック片８１１がステー又はピン体１１１を上方から押さえつけるようにかかることと、弾性狭持フック片８２１が下部ピン体１１２を狭持した状態で壁紙裁断装置８が下がろうとする。フック片８１１に押さえつけられてステー又はピン体１１１がたわむとその分だけ、壁紙裁断装置８は衝撃を受けなかった位置から下がることとなる。
【００３４】
その時、下部ピン体１１２を狭持した下部ピン体狭持部８３５が衝撃吸収揺動部８３３の揺動によって上方に持ち上げられるようにたわむこととなる。
【００３５】
そして次には、衝撃の反力として、壁紙裁断装置８を持ち上げる力がかかることとなる。そして、反力で壁紙裁断装置８が持ち上がろうとすると、フック片８１１はステー又はピン体１１１から浮き上がり、弾性狭持フック片８３１の下部ピン体狭持部８３５は下部ピン体１１２を狭持した状態であるから、その位置にとどまることとなり、衝撃収集揺動部８３３が曲がって下方向へ衝撃収集揺動部８３３が揺動させられることとなる。
【００３６】
段差等からの落下の衝撃が小さければ、衝撃収集揺動部８３３が曲がって揺動する範囲で納まる。そのため衝撃収集揺動部８３３の揺動は衝撃吸収溝部８３２の幅間の揺動となる。
【００３７】
衝撃が強くなれば、衝撃吸収揺動部８３３と下部ピン体狭持部８３５が、固定部８３４の上部に当接することとなり、衝撃収集揺動部８３３が揺動範囲が大きくて破損することを防ぐようになる。そして、この衝撃が強い場合においては、下部ピン体狭持部８３５の下方に位置する固定部８３５の先端が、下部ピン体狭持部８３５とともに衝撃を吸収しながら揺動することとなり、壁紙裁断装置８が上方に浮き上がろうとする力を軽減し、かつ弾性狭持フック片８３１自体の破損を防ぐことができる。
【００３８】
このように、衝撃収集揺動部８３３がわずかに揺動する範囲で衝撃を吸収することと、衝撃吸収揺動部８３３と下部ピン体狭持部８３５が固定部８３４に当接する程度に衝撃吸収揺動部８３３が揺動して衝撃を吸収すること、さらに、衝撃吸収揺動部８３３と下部ピン体狭持部８３５が固定部８３４が接した状態で、さらに固定部８３４まで弾性変形して衝撃を吸収することで、衝撃の吸収と弾性狭持フック片８３１の破損を防止するのである。
【００３９】
８３６は衝撃を受けたときの力の応力集中により衝撃吸収揺動部８３３に割れやヒビが発生しないようにするために設けた逃がし穴部である。
【００４０】
また、衝撃吸収溝部８３７の上方に位置する上部固定部８３８は、壁紙裁断装置８を自動壁紙糊付機１から外した際に下部ピン体狭持部８３５を保護する部分となる。衝撃を受けた際に、下部ピン体狭持部８３５が上部固定部８３８に接するほどステー又はピン体１１１は反ることまではほぼ発生しない強度にステー又はピン体１１１の強度は持たせているのが通常であるが、下部ピン体狭持部８３５が下部ピン体１１２を狭持した状態で上部固定部８３８に接する、又は上部固定部８３８まで曲げながら衝撃を吸収させることも可能である。
【００４１】
次に、弾性狭持フック片８４１の実施形態を図４に示す。図４の弾性狭持フック片８４１は、金属で製作した構成とし、自動壁紙糊付機１の壁紙裁断装置８への固定をする固定部８４４を設け、固定部８４４をネジ等で壁紙裁断装置８に固定している。固定部８４４の上方に衝撃吸収揺動部８４３を設け、衝撃吸収揺動部８４３の先端に下部ピン体狭持部８４５を設けている。弾性狭持フック片８４１の厚みは１．５〜３ｍｍ程度の厚みで、部分によっては厚みを変更するなどしてもかまわない。
【００４２】
衝撃吸収揺動部８４３と固定部８４４の間には、衝撃吸収溝部８４２を設け、下部ピン体１１２を下部ピン体狭持部８４５が狭持した状態で衝撃吸収揺動部８４３が垂直方向に揺動できる構成となっている。固定部８４４に設けた穴部は特に符号を付けて説明はしていないが、図１に示すようにネジ等で固定するための穴部である。
【００４３】
使用する素材としては、ステンレス（例えばＳＵＳ３０１など）や表面をメッキ処理したバネ鋼などが適している。各名称の働きなどは符号は変えているが、図２に図示したものと同様であるため省略する。
【００４４】
次に別の実施形態を図５に示して説明する。図５の弾性狭持フック片８５１も図４に示した弾性狭持フック片と同様で金属製であり、図４の弾性狭持フック片８４１の変形例である。
【００４５】
図５の弾性狭持フック片８５１は、金属で製作した構成とし、自動壁紙糊付機１の壁紙裁断装置８への固定をする固定部８５４を設け、固定部８５４をネジ等で壁紙裁断装置８に固定する。固定部８５４の上方に衝撃吸収揺動部８５３を設け、衝撃吸収揺動部８５３の先端に下部ピン体狭持部８５５を設けている。弾性狭持フック片８５１の厚みは１．５〜３ｍｍ程度の厚みで、部分によっては厚みを変更するなどしてもかまわない。
【００４６】
衝撃吸収揺動部８５３の下方には衝撃吸収溝部８５２を、上方には衝撃吸収溝部８５７設け、下部ピン体１１２を下部ピン体狭持部８５５が狭持した状態で衝撃吸収揺動部８５３が垂直方向に揺動できる構成となっている。固定部８５４に設けた穴部は特に符号を付けて説明はしていないが、図１に示すようにネジ等で固定するための穴部である。
【００４７】
８５６は衝撃を受けたときの力の応力集中により衝撃吸収揺動部８５３に割れやヒビが発生しないようにするために設けた逃がし穴部である。
【００４８】
また、衝撃吸収溝部８５７の上方に位置する上部固定部８５８は、壁紙裁断装置８を自動壁紙糊付機１から外した際に下部ピン体狭持部８５５を保護する部分となる。衝撃を受けた際に、下部ピン体狭持部８５５が上部固定部８５８に接するほどステー又はピン体１１１は反ることまではほぼ発生しない強度にステー又はピン体１１１の強度は持たせているのが通常であるが、下部ピン体狭持部８５５が下部ピン体１１２を狭持した状態で上部固定部８５８に接する、又は上部固定部８５８まで曲げながら衝撃を吸収させることも可能である。
【符号の説明】
【００４９】
１  自動壁紙糊付機
１１１  ステー又はピン体
１１２  下部ピン体
８  壁紙裁断装置
８１１  フック片
８２１  弾性狭持フック片
８２２  衝撃吸収溝部
８２３  衝撃吸収揺動部
８２４  固定部
８２５  下部ピン体狭持部
８２６  穴部
８３１  弾性狭持フック片
８３２  衝撃吸収溝部
８３３  衝撃吸収揺動部
８３４  固定部
８３５  下部ピン体狭持部
８３６  穴部
８３７  衝撃吸収溝部
８３８  上方固定部
８４１  弾性狭持フック片
８４２  衝撃吸収溝部
８４３  衝撃吸収揺動部
８４４  固定部
８４５  下部ピン体狭持部
８４６  穴部
８５１  弾性狭持フック片
８５２  衝撃吸収溝部
８５３  衝撃吸収揺動部
８５４  固定部
８５５  下部ピン体狭持部
８５６  穴部
８５７  衝撃吸収溝部
８５８  上方固定部
【図１】
0006617956.tif 000002
【図２】
0006617956.tif 000003
【図３】
0006617956.tif 000004
【図４】
0006617956.tif 000005
【図５】
0006617956.tif 000006